(57)【要約】【課題】走査型電子顕微鏡１及び走査型プローブ顕微鏡を組み合わせることができ、さらに、走査型電子顕微鏡１の高分解能を実現しつつ、プローブＡ１１を試料Ｗ及び鏡筒先端間に導入可能にする。【解決手段】電子線ＥＢ源からの電子線ＥＢを試料Ｗに照射し、試料Ｗから生じる二次信号を検出する電子線ＥＢを用いた分析装置１であって、試料との間で相互作用するプローブＡ１１と、プローブＡ１１を保持し、電子線源２が収容される鏡筒部４内に配置され、電子線源２からの電子線ＥＢを通過させるプローブ保持部材Ａ２と、プローブ保持部材Ａ２を通過した電子線ＥＢを試料Ｗに収束させる対物レンズと、前記プローブＡ１１を、試料Ｗに近接又は接触する検査位置Ｐと、二次信号の検出を妨げない退避位置Ｑとの間で移動させる退避移動機構Ａ３と、を具備する。【選択図】図１
2009158405.tif 000002
【特許請求の範囲】
【請求項１】
電子線源からの電子線を試料に照射し、試料から生じる二次信号を検出する電子線を用いた分析装置であって、
前記試料との間で相互作用するプローブと、
前記プローブを保持するものであり、前記電子線源が収容される鏡筒部内に配置され、前記電子線源からの電子線を通過させるプローブ保持部材と、
前記プローブ保持部材を通過した電子線を試料に収束させる対物レンズと、
前記プローブ保持部材を、前記プローブが前記試料に近接又は接触する検査位置と、前記プローブが前記二次信号の検出を妨げない退避位置との間で移動させる退避移動機構と、を具備する電子線を用いた分析装置。
【請求項２】
前記プローブ保持部材が、前記プローブを前記鏡筒部の中心軸と同軸上に位置させるように保持する請求項１記載の電子線を用いた分析装置。
【請求項３】
前記プローブ保持部材が、前記鏡筒部の内面に突っ張るように固定されるものであり、
前記退避移動機構が、前記鏡筒部の内面と前記プローブ保持部材との間に介在して設けられている請求項１又は２記載の電子線を用いた分析装置。
【請求項４】
前記退避移動機構が、ピエゾ素子を用いたピエゾアクチュエータである請求項１、２又は３記載の電子線を用いた分析装置。
【請求項５】
前記プローブ保持部材が、概略円板形状をなし、中心軸上に前記プローブを保持するものであり、その中心軸に対して周方向に等間隔に電子線を通過させる通過孔が形成されている請求項１、２、３又は４記載の電子線を用いた分析装置。
【発明の詳細な説明】
【技術分野】
【０００１】
この発明は、電子線を用いた分析装置に関し、特に、プローブ顕微鏡の機能を有する電子線を用いた分析装置に関するものである。
【背景技術】
【０００２】
従来用いられている電子顕微鏡、特に走査型電子顕微鏡（ＳＥＭ）は、試料表面に電子線を走査させながら照射して、試料表面から発生する二次電子、反射電子、カソードルミネッセンス、Ｘ線などの二次信号を検出して、例えば試料の表面形状や組成元素の分布の分析などを行うものである。
【０００３】
この走査型電子顕微鏡の分解能は数ｎｍであり、それ以下の分解能で表面形状などの分析を行う場合には、走査型電子顕微鏡よりも高分解能である走査型プローブ顕微鏡（ＳＰＭ）が用いられる。
【０００４】
そして従来、特許文献１に示すように、走査型プローブ顕微鏡に走査型電子顕微鏡を組み合わせて、走査型電子顕微鏡（ＳＥＭ）によるＳＥＭ像及び走査型プローブ顕微鏡（ＳＰＭ）によるＳＰＭ像の両方を取得可能なものがある。この走査型プローブ顕微鏡は、プローブを走査して観察するための観察対象領域を選定するため、予め走査型電子顕微鏡を用いて観察対象領域を選定するものである。
【０００５】
しかしながら、走査型電子顕微鏡の鏡筒と、走査型プローブ顕微鏡のプローブ及び駆動部等とを別々に構成して、鏡筒先端と試料との間に側方からプローブを導入する構造としているため装置が大型化してしまうという問題がある。
【０００６】
また、走査型電子顕微鏡において、高分解能を実現するためには、試料と対物レンズとの距離（作動距離）を小さくする必要があり、このとき、試料と鏡筒先端との距離が小さくなる。そうすると、試料と鏡筒先端との間にプローブを導入することが難しくなるという問題がある。
【特許文献１】特開２００４−２７１３０１号公報
【発明の開示】
【発明が解決しようとする課題】
【０００７】
そこで本発明は、上記問題点を一挙に解決するためになされたものであり、大型化することなく電子顕微鏡及びプローブ顕微鏡を組み合わせることができ、さらに、電子顕微鏡の分解能を実現しつつ、プローブを試料及び鏡筒間に導入し測定可能にすることをその主たる所期課題とするものである。
【課題を解決するための手段】
【０００８】
すなわち本発明に係る電子線を用いた分析装置は、電子線源からの電子線を試料に照射し、試料から生じる二次信号を検出する電子線を用いた分析装置であって、前記試料との間で相互作用するプローブと、前記プローブを保持するものであり、前記電子線源が収容される鏡筒部内に配置され、前記電子線源からの電子線を通過させるプローブ保持部材と、前記プローブ保持部材を通過した電子線を試料に収束させる対物レンズと、前記プローブ保持部材を、前記プローブが前記試料に近接又は接触する検査位置と、前記プローブが前記二次信号の検出を妨げない退避位置との間で移動させる退避移動機構と、を具備することを特徴とする。
【０００９】
このようなものであれば、大型化することなく電子線を用いた分析装置にプローブ顕微鏡の機能を付加することができ、例えば走査型電子顕微鏡（ＳＥＭ）によるＳＥＭ像だけでなく、ＳＥＭ像よりも高分解能な走査型プローブ顕微鏡（ＳＰＭ）によるＳＰＭ像を得ることができる。また、プローブが鏡筒部内に収容されているので、試料と鏡筒部先端との距離（作動距離）を小さくして、走査型電子顕微鏡等の電子線を用いた分析装置を高分解能化しつつも、プローブを試料に近接又は接触させることができる。さらに、プローブを試料の上方に退避して、二次信号の検出を妨げないようにしているので、ＳＥＭ像にプローブの影などが映り込む等のＳＥＭ像の劣化を防止できる。
【００１０】
ＳＥＭ像にプローブの影が映ることを確実に防止するためには、前記プローブ保持部材が、前記プローブを前記鏡筒部の中心軸と同軸上に位置させるように保持することが望ましい。
【００１１】
プローブ保持部材の具体的な実施の態様としては、前記鏡筒部の内面に突っ張るように固定されるものであることが考えられる。そして、この場合において、プローブ本体を好適に移動させるためには、前記退避移動機構が、前記鏡筒部の内面と前記プローブ保持部材との間に介在して設けられていることが望ましい。
【００１２】
退避移動機構の具体的な実施の態様としては、前記退避移動機構が、ピエゾ素子を用いたピエゾアクチュエータであることが望ましい。
【００１３】
電子線源からの電子線を好適に通過させるためには、前記プローブ保持部材が、概略円板形状をなし、中心軸上に前記プローブを保持するものであり、その中心軸に対して周方向に等間隔に電子線を通過させる通過孔が形成されていることが望ましい。
【発明の効果】
【００１４】
このように本発明によれば、大型化することなく走査型電子顕微鏡及び走査型プローブ顕微鏡を組み合わせることができ、さらに、走査型電子顕微鏡の高分解能を実現しつつ、プローブを試料及び鏡筒間に導入可能にすることができる。
【発明を実施するための最良の形態】
【００１５】
次に、本発明に係る電子線ＥＢを用いた分析装置１の一実施形態について図面を参照して説明する。なお、図１は本実施形態に係る電子線ＥＢを用いた分析装置１の模式的構成図、図２はプローブ保持部材Ａ２の平面図、図３はプローブ保持部材Ａ２の検査位置Ｐ及び退避位置Ｑを示す図、図４はピエゾアクチュエータＡ３の構成を示す図である。
【００１６】
＜装置構成＞
【００１７】
本実施形態に係る電子線ＥＢを用いた分析装置１は、電子線源２からの電子線ＥＢを試料Ｗに照射し、試料Ｗから生じる二次信号を検出して、試料像（ＳＥＭ像）を得る走査型電子顕微鏡であり、さらに走査型プローブ顕微鏡（ＳＰＭ）としての機能を有するものである。
【００１８】
二次信号とは、電子線ＥＢが照射された試料Ｗから生じるものであり、二次電子、反射電子、カソードルミネッセンス、Ｘ線などがある。
【００１９】
また、走査型プローブ顕微鏡としては、走査型トンネル顕微鏡（ＳＴＭ）、原子間力顕微鏡（ＡＦＭ）、走査型容量顕微鏡（ＳＣＭ）、走査型磁気力顕微鏡（ＭＦＭ）、走査型ホール素子顕微鏡（ＳＨＰＭ）、走査型ケルビンプローブフォース顕微鏡（ＫＦＭ）、走査型マクスウェル応力顕微鏡（ＳＭＭ）、走査型圧電応答顕微鏡（ＰＦＭ）、走査型非線形誘電率顕微鏡（ＳＮＤＭ）、走査型近接場光顕微鏡（ＳＮＯＭ）、走査型電気化学顕微鏡（ＳＣＥＭ）などが考えられ、本実施形態の走査型電子顕微鏡１は、上記何れかの走査型プローブ顕微鏡としての機能を有する。
【００２０】
具体的にこのものは、図１の模式的構成図に示すように、電子線源である電子銃２と、電子銃２から射出された電子線ＥＢの軌道を制御して、試料Ｗの所定部位に収束させるレンズ機構及び電子線ＥＢを走査させるための走査機構等からなる電子線制御機構３と、電子銃２及び電子線制御機構３を内部に有する概略円筒形状の鏡筒部４と、鏡筒部４の下端部に設けられ、前記電子銃２からの電子線ＥＢが照射される試料Ｗを収容する試料収容室５と、試料Ｗへの電子線ＥＢ照射により発生した二次電子を検出する検出装置６と、検出装置６からの検出信号に基づき試料Ｗ上の電子線ＥＢの２次元走査に同期して試料像を表示等する情報処理装置７と、を備えている。なお、図１中、５１は、試料収容室５内に設けられた試料ステージである。この試料ステージ５１は、例えばＸＹステージであるが、ＸＹＺステージであっても良い。ここで、鏡筒部４とは、電子線源である電子銃２から射出された電子線ＥＢが電子線制御機構３の対物レンズ３１及び走査コイル３２等の最下端から試料Ｗ側に出るまでの空間を含む。
【００２１】
しかして、本実施形態の走査型電子顕微鏡１は、走査型プローブ顕微鏡としての機能を発揮すべく、プローブ本体Ａ１と、プローブ本体Ａ１を保持するプローブ保持部材Ａ２と、前記プローブ本体Ａ１を鏡筒部４の中心軸方向に沿って移動させる退避移動機構Ａ３と、を備えている。
【００２２】
プローブ本体Ａ１は、先端が試料Ｗに対向して設けられたプローブ（探針）Ａ１１と、プローブＡ１１の基端部が接続されたプローブ駆動部Ａ１２とを備えている。
【００２３】
プローブＡ１１は、シリコン製又は金属製であり、先端が鋭利に尖ったものであり、試料Ｗの表面に平行なＸＹ方向及び垂直なＺ方向に移動可能で、先端が試料Ｗ表面と対向している。また、プローブＡ１１は、試料Ｗに近接又は接触させて、この試料Ｗとの間で相互作用するものである。そして、プローブＡ１１は、プローブＡ１１の基端部に接続されたプローブ駆動部Ａ１２により、ＸＹＺ方向に移動される。
【００２４】
プローブ駆動部Ａ１２は、ピエゾ微動素子を用いたチューブピエゾであり、情報処理装置７によって印加される電圧値が制御されることにより、プローブＡ１１をＸＹＺ方向にそれぞれ移動する。
【００２５】
プローブ保持部材Ａ２は、鏡筒部４内に配置されて、プローブ本体Ａ１（プローブＡ１１及びプローブ駆動部Ａ１２）を保持するものである。また、プローブ保持部材Ａ２は、セラミック、樹脂又はガラス等の電気を流さない材質（絶縁体）から構成されている。これにより、電子線ＥＢに与える悪影響を可及的に小さくすることができ、また、後述するピエゾアクチュエータＡ３に電圧を印加する際の不具合を防止することができる。本実施形態のプローブ保持部材Ａ２は、プローブＡ１１、詳細にはプローブＡ１１の先端が鏡筒部４の中心軸と同軸上に位置するように、プローブ本体Ａ１を保持するものである。
【００２６】
具体的には、プローブ保持部材Ａ２は、鏡筒部４の内径よりも若干小さい概略円板形状をなすものであり、鏡筒部４の内周面に後述する退避移動機構Ａ３を介して突っ張るように固定される。また、その中央部にプローブ本体Ａ１が固定される。
【００２７】
そして、プローブ保持部材Ａ２は、電子線源２からの電子線ＥＢを通過させるものであり、電子線ＥＢを通過させる通過孔Ａ２１が形成されている。
【００２８】
通過孔Ａ２１は、プローブ本体Ａ１が固定される部分よりも径方向外側に形成され、プローブ保持部材Ａ２の中心軸に対して、周方向に等間隔に形成された平面視円形の貫通孔である。また、本実施形態の通過孔Ａ２１は、８個形成されている。なお、通過孔Ａ２１の個数及び形状は、これに限定されず適宜設定することができるが、内周面に突っ張る構造上、突っ張ることができる程度の機械的強度が確保される必要がある。
【００２９】
退避移動機構Ａ３は、プローブ保持部材Ａ２と鏡筒部４との間に介在して設けられ、プローブ保持部材Ａ２を進退移動させることにより、プローブ本体Ａ１（プローブＡ１１及びプローブ駆動部Ａ１２）を進退移動させるものである。
【００３０】
具体的には、図３に示すように、退避移動機構Ａ３は、プローブＡ１１が試料Ｗ表面に近接又は接触する検査位置Ｐと、試料Ｗから退避して、対物レンズにより収束された電子線ＥＢが前記試料Ｗに照射されることを妨げない退避位置Ｑとの間で進退移動するように、プローブ保持部材Ａ２を進退移動させる。本実施形態では、具体的には試料Ｗに対して上方に退避する。その構成としては、ピエゾ素子を用いたピエゾアクチュエータを用いたものである。
【００３１】
このピエゾアクチュエータＡ３は、鏡筒部４において、プローブ保持部材Ａ２の外側周面と対向する内側周面に周方向に例えば等間隔に複数設けられている。また、各ピエゾアクチュエータＡ３は、軸方向に沿って設けられている。そして、情報処理装置７により印加される電圧値が制御されることにより、プローブ保持部材Ａ２を鏡筒部４の中心軸に沿って進退移動させる。また、このようにピエゾアクチュエータＡ３が周方向に閉じた形状（円形状）ではないので、ピエゾアクチュエータＡ３の破損を防止することができる。
【００３２】
ピエゾアクチュエータＡ３の具体的な構成は、図４の拡大図に示すように、鏡筒部４の内側周面に設けられたピエゾ素子Ａ３１と、当該ピエゾ素子Ａ３１とプローブ保持部材Ａ２との間に介在して設けられ、プローブ保持部材Ａ２を鏡筒部４に対して弾性的に固定支持する板バネなどの弾性部材Ａ３２とからなる。また、この弾性部材Ａ３２により、ピエゾ素子Ａ３１を鏡筒部４の内壁に押し付け、プローブ保持部材Ａ２を突っ張らせることができる。また、ピエゾ素子Ａ３１が径方向に伸縮してもプローブ保持部材Ａ２を落下させることがない。そして、このピエゾアクチュエータＡ３は、ピエゾが伸縮したときの反動でプローブ保持部材Ａ２を移動させる（慣性駆動する）ものである。さらに、ピエゾアクチュエータＡ３は、図示しないガイドにより、プローブ保持部材Ａ２のピエゾアクチュエータＡ３に対する回転を防ぎ、一方向に移動するようにしているスライダであり、いわゆるスティックスリップ運動をする。なお、ピエゾ素子Ａ１３と弾性部材Ａ３２との配置を逆にしても構わない。
【００３３】
また、検査位置Ｐとは、プローブＡ１１が試料Ｗ表面に近接又は接触して、プローブ駆動部Ａ１２によりＸＹ方向に二次元走査し、Ｚ軸方向に帰還制御をかけ、ＳＰＭ像を取得することができる位置である。
【００３４】
一方、退避位置Ｑとは、電子線ＥＢが試料に照射された際に生じる二次信号が、検出装置６において、所定の強度により得られるプローブＡ１１の位置であり、具体的には、プローブＡ１１が検査位置Ｐから試料ＷのＺ方向上方に移動することにより、対物レンズ３１により収束された電子線ＥＢが試料Ｗに照射されること、及び検出装置６による二次電子の検出を妨げない位置であり、例えば検出装置６に検出される二次電子の軌道上にプローブＡ１１が位置しない位置である。また、退避位置Ｑは、検出装置の感度等の性能、走査型電子顕微鏡１の倍率、試料Ｗ上における焦点位置、及び検出装置の位置等との関係により決定されるが、本実施形態では、前述した焦点位置、倍率などの所定の必要な条件範囲のすべてを満たすように退避する位置を退避位置としている。また、プローブ保持部材Ａ２がピエゾアクチュエータＡ３の最上端に位置するときのプローブＡ１１の位置を退避位置Ｑとしても良い。
【００３５】
そして、退避移動機構Ａ３は、試料Ｗ上に電子線ＥＢを走査しながら照射して、ＳＥＭ像を取得する場合には、当該ＳＥＭ像にプローブＡ１１及びプローブＡ１１の影が映らないように、プローブ本体Ａ１を退避位置Ｑに移動させる。一方、試料Ｗ表面上にプローブＡ１１を接触させて走査する場合には、プローブ本体Ａ１を検査位置Ｐに移動させる。
【００３６】
さらに、本実施形態の電子線制御機構３は、プローブ保持部材Ａ２の通過孔Ａ２１を通過した電子線ＥＢの軌道を制御して、試料Ｗの所定部位に収束させる対物レンズ３１及び電子線ＥＢを走査させる走査コイル３２を備えている。つまり、プローブ保持部材Ａ２は、鏡筒部４内において、電子銃２と対物レンズ３１との間に配置される。
【００３７】
また、情報処理装置７は、検出装置６からの検出信号によりＳＥＭ像を取得するだけでなく、プローブＡ１１から得られる試料Ｗ表面及びプローブＡ１１の相互作用によるＺ方向に依存した物理量に基づいて、ＳＰＭ像を生成する。
【００３８】
＜走査型電子顕微鏡１の動作＞
【００３９】
次に、このように構成した走査型電子顕微鏡１の動作の一例について説明する。
【００４０】
低倍率の表面画像を取得する場合、つまり走査型電子顕微鏡（ＳＥＭ）像を取得する場合には、情報処理装置７は、退避移動機構Ａ３を制御して、プローブ本体Ａ１を退避位置Ｑに移動させる。なお、既に、プローブ本体Ａ１が退避位置Ｑにある場合には、情報処理装置７は、退避移動機構Ａ３を制御する必要はない。
【００４１】
その後、情報処理装置７は、通常の走査型電子顕微鏡１と同様に、電子線ＥＢを試料Ｗ表面上に走査しながら照射する。検出装置６は、その際に生じる二次電子を検出して、情報処理装置７に出力する。そして、情報処理装置７は、検出装置６からの検出信号に基づき試料Ｗ上の電子線ＥＢの２次元走査に同期してＳＥＭ像を生成する。
【００４２】
一方、高倍率の表面画像を取得する場合、つまりＳＥＭ像よりも高分解能（高倍率）な走査型プローブ顕微鏡（ＳＰＭ）像を取得する場合には、情報処理装置７は、退避移動機構Ａ３を制御して、プローブ本体Ａ１を検査位置Ｐに移動させる。なお、既に、プローブ本体Ａ１が検査位置Ｐにある場合には、情報処理装置７は、退避移動機構Ａ３を制御する必要はない。
【００４３】
その後、情報処理装置７は、プローブ駆動部Ａ１２を制御することにより、プローブＡ１１を試料Ｗ表面に近接又は接触させながら、ＸＹ方向に二次元走査させる。そして、試料Ｗの表面とプローブＡ１１との相互作用による物理量（ＳＴＭであればＺ方向に依存する物理量）に基づいて、ＳＰＭ像を生成する。
【００４４】
＜本実施形態の効果＞
【００４５】
このように構成した本実施形態の走査型電子顕微鏡１１によれば、大型化することなく走査型電子顕微鏡１に走査型プローブ顕微鏡としての機能を付加することができ、走査型電子顕微鏡１のみにより、ＳＥＭ像だけでなく、ＳＥＭ像よりも高分解能（高倍率）なＳＰＭ像を得ることができる。
【００４６】
また、プローブＡ１１が鏡筒部４内に収容されているので、試料Ｗと鏡筒部４先端との距離（作動距離）を小さくして、走査型電子顕微鏡１を高分解能化しつつも、プローブＡ１１を試料Ｗ表面に近接又は接触させることができる。
【００４７】
さらに、プローブＡ１１を試料Ｗの上方に退避して、収束された電子線ＥＢが前記試料Ｗに照射されること、及び二次信号の検出を妨げないようにしているので、ＳＥＭ像にプローブＡ１１の影などが映り込む等のＳＥＭ像の劣化を防止できる。
【００４８】
＜その他の変形実施形態＞
【００４９】
なお、本発明は前記実施形態に限られるものではない。
【００５０】
例えば、前記実施形態の走査型電子顕微鏡に、走査型プローブ顕微鏡のうち原子間力顕微鏡としての機能を持たせるためには、プローブをカンチレバーとする。
【００５１】
また、前記実施形態のプローブ保持部材は、通過孔が形成されることにより電子線を通過させるものであったが、その他、通過孔を有さず、例えばガラスなどの電子透過性を有する材質としても良い。
【００５２】
さらに、前記実施形態のプローブは１つであったが、２つ以上であっても良い。
【００５３】
加えて、前記実施形態の退避移動機構は、プローブ保持部材及び鏡筒部の間に介在して設けたピエゾアクチュエータを用いたものであったが、プローブ保持部材及びプローブ本体の間に介在して設けても良い。この場合、プローブ保持部材を鏡筒部に固定して、プローブ駆動部を退避移動機構としても良い。つまり、この場合の走査型電子顕微鏡は、電子線源からの電子線を試料に照射し、試料から生じる二次信号を検出する走査型電子顕微鏡であって、前記試料との間で相互作用するプローブと、前記プローブを保持するものであり、前記電子線源が収容される鏡筒部内に配置され、前記電子線源からの電子線を通過させるプローブ保持部材と、前記プローブ保持部材を通過した電子線を試料に収束させる対物レンズと、前記プローブを、前記試料に近接又は接触する検査位置と、前記試料から退避して、前記二次信号の検出を妨げない退避位置との間で移動させる退避移動機構と、を具備し、前記退避移動機構が、前記プローブ保持部材と前記プローブの間に介在して設けられている。但し、プローブ駆動部の変位は小さいため、退避のために、プローブ駆動部の変位よりも大きい移動量が必要な場合は、プローブ駆動部とは別に、退避移動機構を動かすようにした方がよい。
【００５４】
また、退避移動機構を動かすことに加えて、併せてプローブ駆動部を動かすようにしても良い。
【００５５】
その上、前記実施形態の退避移動機構Ａ３を、プローブＡ１１をＺ方向に移動させるプローブ駆動部Ａ１２として機能させても良い。
【００５６】
加えて、前記実施形態では、退避位置を試料から鉛直上方に離間した位置としたが、その他、試料から水平方向に離間した位置としても良い。これを実現するには、例えば鏡筒部の中心軸に対して離間して設けられた回転軸を有し、当該回転軸に対してプローブ保持部材を回転可能に保持する回転機構を用いることができる。このとき、プローブは回転軸上に位置しない。
【００５７】
また、退避移動機構は、ピエゾアクチュエータを用いたものに限られず、ウォームギア等の歯車を用いたものであっても良い。
【００５８】
その他、前述した実施形態や変形実施形態の一部又は全部を適宜組み合わせてよいし、本発明は前記実施形態に限られず、その趣旨を逸脱しない範囲で種々の変形が可能であることは言うまでもない。
【図面の簡単な説明】
【００５９】
【図１】本発明の一実施形態に係る電子線ＥＢを用いた分析装置の概略構成図。
【図２】プローブ保持部材の平面図。
【図３】プローブ保持部材の検査位置及び退避位置を示す図。
【図４】ピエゾアクチュエータの構成を示す図。
【符号の説明】
【００６０】
ＥＢ・・・電子線
Ｗ・・・試料
１・・・電子線ＥＢを用いた分析装置（走査型電子顕微鏡）
２・・・電子線源
３・・・鏡筒部
３１・・・対物レンズ
Ａ１１・・・プローブ
Ａ２・・・プローブ保持部材
Ａ２１・・・通過孔
Ａ３・・・退避移動機構
Ｐ・・・検査位置
Ｑ・・・退避位置
【図１】
2009158405.tif 000003
【図２】
2009158405.tif 000004
【図３】
2009158405.tif 000005
【図４】
2009158405.tif 000006